(57)【特許請求の範囲】
【請求項１】
対象物を差し込むための差込口を保護する保護構造であって、
前記差込口が底面に設けられる凹部と、
前記凹部に嵌められた状態で前記差込口を覆う蓋体と、
を備え、
前記蓋体は、
断面形状が円弧状の摺動部、
を備え、
前記蓋体は、
前記凹部に嵌められた状態で、前記底面の支持部に対して前記摺動部で接触し、
一部が押圧されると、前記底面の支持部に対して前記摺動部を摺動させつつ回転し、
前記底面の支持部は、前記摺動部に接触する部分の断面形状が逆円弧状であることを特徴とする保護構造。
【請求項２】
請求項１に記載の保護構造において、
前記凹部の前記底面に設けられる嵌合孔と、
前記蓋体に設けられる嵌合突起と、
をさらに備え、
前記嵌合突起は、前記蓋体が前記凹部に嵌められた状態で、前記嵌合孔と嵌合して前記蓋体を前記凹部に固定することを特徴とする保護構造。
【請求項３】
請求項２に記載の保護構造において、
前記嵌合突起は、前記蓋体の一部が押圧されて前記蓋体が回転することにより前記嵌合孔から引き抜かれることを特徴とする保護構造。
【発明の詳細な説明】
【技術分野】
【０００１】
本発明は、差込口を保護する保護構造に関する。
【背景技術】
【０００２】
一般に、カーナビゲーション装置などの電子装置においては、対象物を差し込むための差込口が設けられている。このような差込口は、例えば、メモリカードを差し込むためのカードスロットや、ケーブルを差し込むための端子などである。従来より、このような差込口を保護する保護構造が提案されている。
【０００３】
例えば、特許文献１においては、電子装置の表面に形成された凹部内に差込口を設け、該凹部に蓋体を嵌めることにより蓋体で差込口を覆うようにした保護構造が提案されている。この保護構造においては、蓋体を凹部に嵌めた場合に凹部の底面に当接する突起が蓋体の裏面に形成される。蓋体を凹部から取り外す場合は、ユーザが蓋体の表面の一部を押圧する。これにより、突起の先端を中心としてシーソーのように蓋体が回転し、蓋体の表面の押圧した部分とは逆の部分が浮き上がるため、ユーザは蓋体を凹部から取り外すことができる。
【先行技術文献】
【特許文献】
【０００４】
【特許文献１】実開平１−５９９９２号公報
【発明の概要】
【発明が解決しようとする課題】
【０００５】
上記のような保護構造を採用する場合、凹部に嵌められた状態の蓋体の表面の位置は、電子装置の表面（凹部の周辺部の表面）と略一致することが望ましい。したがって、凹部の深さが大きくなると、蓋体の表面から突起の先端までの長さも大きくする必要がある。このため、凹部の深さが大きくなると、蓋体を凹部から取り外す場合における蓋体が回転する回転半径が大きくなり、蓋体が移動する範囲が大きくなる。その結果、蓋体と凹部の側壁との接触を避けるために、蓋体と凹部の側壁との間の間隔を大きくする必要が生じる。
【０００６】
しかしながら、蓋体と凹部の側壁との間の間隔を大きくすることは、差込口の保護の観点や美的外観上において好ましくない。
【０００７】
本発明は、上記課題に鑑みてなされたものであり、蓋体が移動する範囲を小さくできる保護構造を提供することを目的とする。
【課題を解決するための手段】
【０００８】
上記課題を解決するため、請求項１の発明は、対象物を差し込むための差込口を保護する保護構造であって、前記差込口が底面に設けられる凹部と、前記凹部に嵌められた状態で前記差込口を覆う蓋体と、を備え、前記蓋体は、断面形状が円弧状の摺動部、を備え、前記蓋体は、前記凹部に嵌められた状態で、前記底面の支持部に対して前記摺動部で接触し、一部が押圧されると、前記底面の支持部に対して前記摺動部を摺動させつつ回転し、前記底面の支持部は、前記摺動部に接触する部分の断面形状が逆円弧状である。
【００１０】
また、請求項２の発明は、請求項１に記載の保護構造において、前記凹部の前記底面に設けられる嵌合孔と、前記蓋体に設けられる嵌合突起と、をさらに備え、前記嵌合突起は、前記蓋体が前記凹部に嵌められた状態で、前記嵌合孔と嵌合して前記蓋体を前記凹部に固定する。
【００１１】
また、請求項３の発明は、請求項２に記載の保護構造において、前記嵌合突起は、前記蓋体の一部が押圧されて前記蓋体が回転することにより前記嵌合孔から引き抜かれる。
【発明の効果】
【００１２】
請求項１ないし３の発明によれば、蓋体の一部が押圧されると、凹部の底面に対して円弧状の摺動部を摺動させつつ蓋体が回転する。このため、蓋体の回転中心が摺動部の内部となるため、蓋体の回転半径を小さくでき、蓋体が移動する範囲を小さくすることができる。
【００１３】
また、特に請求項１の発明によれば、凹部の底面に対して円弧状の摺動部をスムーズに摺動させることができる。
【００１４】
また、特に請求項２の発明によれば、嵌合突起が嵌合孔と嵌合することで蓋体を凹部に固定するため、凹部に嵌められた状態の蓋体を安定化することができる。
【００１５】
また、特に請求項３の発明によれば、蓋体を回転することで、蓋体を凹部から容易に取り外すことができる。
【図面の簡単な説明】
【００１６】
【図１】図１は、電子装置の例を示す図である。
【図２】図２は、電子装置の例を示す図である。
【図３】図３は、保護構造を拡大して示す図である。
【図４】図４は、保護構造を拡大して示す図である。
【図５】図５は、凹部を示す図である。
【図６】図６は、蓋体を示す斜視図である。
【図７】図７は、保護構造の断面図である。
【図８】図８は、保護構造の断面図である。
【図９】図９は、比較例の蓋体を示す図である。
【図１０】図１０は、比較例の凹部を示す図である。
【図１１】図１１は、比較例の保護構造の断面図である。
【図１２】図１２は、比較例の保護構造の断面図である。
【発明を実施するための形態】
【００１７】
以下、図面を参照しつつ本発明の実施の形態について説明する。
【００１８】
＜１．保護構造の概要＞
図１及び図２は、本実施の形態に係る保護構造が採用される電子装置１０を示す図である。図１は電子装置１０の斜視図、図２は電子装置１０の正面図に相当する。
【００１９】
電子装置１０は、例えば、ナビゲーション装置など、車両に搭載される車載装置である。電子装置１０は、装置全体を制御する制御部が設けられる本体部１と、ユーザのインタフェイスとなるパネル部２とを備えている。電子装置１０は、パネル部２が露出した状態で車室内のダッシュボード等に取り付けられる。
【００２０】
なお、以下の説明においては、図中に示す三次元直交座標系（ＸＹＺ）を用いて、適宜、方向や向きを示すこととする。この直交座標系は、電子装置１０に対して相対的に固定される。Ｘ軸方向は左右方向、Ｙ軸方向は前後方向、Ｚ軸方向は上下方向に相当する。＋Ｘ側がパネル部２の表面の左側、−Ｘ側がパネル部２の表面の右側となる。また、＋Ｙ側がパネル部２の裏面側、−Ｙ側がパネル部２の表面側（正面側）、＋Ｚ側が上側、−Ｚ側が下側となる。
【００２１】
パネル部２は、各種情報を表示するディスプレイ２１と、ユーザの操作を受け付ける回転部材２２及び押圧ボタン２３と、パネル部２の表面から容器状に凹んだ部分である凹部３とを備えている。凹部３は、デザイン上の観点から、隣接する押圧ボタン２３と並ぶように設けられている。以下、凹部３を容器とみなした場合に、容器の底面に相当する凹部３の主面を「底面」と称し、容器の側壁に相当する凹部３の周囲の壁を「側壁」と称する。通常、凹部３の底面は、凹部３における最深面となる。凹部３の底面には、対象物となるｍｉｃｒｏＳＤ（商標）などのメモリカードを差し込むための差込口であるカードスロット３１が設けられている。
【００２２】
また、図１に示すように、凹部３に対しては蓋体４を着脱可能となっている。図２に示すように、蓋体４を凹部３に嵌めることにより、蓋体４が凹部３の底面のカードスロット３１を覆う。これにより、カードスロット３１の外部への露出が防止され、カードスロット３１が保護される。したがって、これらの凹部３と蓋体４とを含む構造が、カードスロット３１を保護する保護構造となる。
【００２３】
＜２．凹部及び蓋体＞
図３から図５は、この保護構造（図２に示す領域Ａに相当）を拡大して示す図である。図３は凹部３に蓋体４を嵌めた状態を示し、図５は凹部３から蓋体４を取り外した状態を示している。
【００２４】
図３に示すように、凹部３に蓋体４を嵌めた状態においては、蓋体４が凹部３の底面３９のおよそ全体を覆う。これにより、凹部３の底面３９のカードスロット３１は、蓋体４により覆われる。このように凹部３に蓋体４を嵌めた状態において、蓋体４の表面（−Ｙ側の主面）の位置はパネル部２の表面（凹部３の周辺部の表面）と略一致する。
【００２５】
凹部３に蓋体４を嵌めた状態において、ユーザがカードスロット３１を利用したい場合は、ユーザは蓋体４を凹部３から取り外して凹部３の底面３９を露出させる。まず、ユーザは、蓋体４の表面の下側（−Ｚ側）の部分を指などで押圧する。これにより、図４に示すように、凹部３に対して蓋体４がシーソーのように回転し、蓋体４の表面の上側（＋Ｚ側）の部分が凹部３から浮き上がる。このようにして現れた蓋体４の上部の引出部４７に爪を引っ掛けたり、蓋体４の両側面を把持することで、ユーザは蓋体４を凹部３から取り外すことができる。これにより、図５に示すように、カードスロット３１を含む凹部３の底面３９が露出される。
【００２６】
図５に示すように、凹部３の底面３９においては、カードスロット３１とともに、２つの嵌合孔３２と、２つの支持部３３と、引掛孔３４とが設けられている。２つの嵌合孔３２はそれぞれ、前後方向（Ｙ軸方向）に延びる円筒状の孔である。２つの支持部３３は、蓋体４に接触して蓋体４を支持する部材であり、凹部３の底面３９から表側（−Ｙ側）に張り出して設けられる。また、引掛孔３４は、底面３９を貫通する断面矩形の貫通孔である。
【００２７】
図６は、裏面側（凹部３に対向する側／＋Ｙ側）からみた蓋体４を示す斜視図である。この図においては、蓋体４が凹部３に嵌められた状態を想定して、三次元直交座標系（ＸＹＺ）を示している。
【００２８】
蓋体４は、プラスチックで構成される表部材４ａと、ゴム状の弾性体であるエラストマーで構成される裏部材４ｂとを貼り合わせたものである。表部材４ａは、蓋体４が凹部３に嵌められた状態において、パネル部２の表面側（−Ｙ側）に露出する。表部材４ａの上側（＋Ｚ側）の端部には、前述した引出部４７が形成される。
【００２９】
また、裏部材４ｂは、蓋体４が凹部３に嵌められた状態において、凹部３の底面３９に対向して凹部３の内部に収容される。裏部材４ｂは、２つの嵌合突起４２と、２つの摺動リブ４３と、引掛部４４とを備えている。これら嵌合突起４２、摺動リブ４３及び引掛部４４は全てエラストマーで構成されるため、弾性を有している。
【００３０】
嵌合突起４２は、蓋体４の裏面（＋Ｙ側の主面）の上部において、該裏面から裏側（＋Ｙ側）に突出して設けられる断面十字状の突起である。蓋体４が凹部３に嵌められた状態において、２つの嵌合突起４２は、凹部３の底面３９に設けられる２つの嵌合孔３２（図５参照。）にそれぞれ嵌合する。これにより、蓋体４が凹部３に固定されるため、凹部３に嵌められた状態の蓋体４を安定化することができる。
【００３１】
引掛部４４は、凹部３の底面３９に設けられる引掛孔３４（図５参照。）に挿入して使用される。蓋体４を凹部３から取り外した状態においても、引掛部４４の一部は引掛孔３４に挿入された状態で維持される。これにより、蓋体４の紛失が防止される。
【００３２】
また、摺動リブ４３は、凹部３の底面３９の支持部３３（図５参照。）に対して摺動する摺動部である。摺動リブ４３は、蓋体４の裏面の上下方向（Ｚ軸方向）の中央付近に、裏面から裏側（＋Ｙ側）に張り出して設けられる。摺動リブ４３における凹部３に対向する対向面は、断面形状が円弧状となっている。このため、摺動リブ４３は、凹部３の底面３９の支持部３３に対して摺動可能となっている。
【００３３】
＜３．摺動リブの摺動＞
以下、このような摺動リブ４３の摺動について説明する。図７は、図３のVII-VII位置付近における保護構造（凹部３及び蓋体４）の断面図である。なお、実際には、嵌合突起４２と摺動リブ４３とが同一断面に表れることはないが、説明を簡単にするため、図７ではこれらを同一断面に表している。
【００３４】
図７は、蓋体４が凹部３に嵌められた状態を示している。この状態において、蓋体４の嵌合突起４２は凹部３の嵌合孔３２に対して嵌合し、また、蓋体４の摺動リブ４３は凹部３の支持部３３に対して接触している。これにより、凹部３に嵌めこまれた状態の蓋体４が固定され、蓋体４が安定化される。
【００３５】
図７に示すように、摺動リブ４３における支持部３３と接触する部分４３ａは、断面形状が円弧状である。一方で、支持部３３における摺動リブ４３と接触する部分３３ａは、摺動リブ４３の部分４３ａの断面形状に合うように、断面形状が逆円弧状である。したがって、摺動リブ４３は、支持部３３に対してスムーズに摺動できる。
【００３６】
前述のように、蓋体４を取り外すために蓋体４の表面の下側（−Ｚ側）の部分をユーザが押圧した場合には、蓋体４が凹部３に対して回転する。
【００３７】
図８は、図７と同一位置における保護構造の断面図であり、蓋体４が凹部３に対して回転した状態を示している。図８においては、回転前の蓋体４の位置を破線で示している。図８に示すように、蓋体４が凹部３に対して回転することにより、蓋体４の嵌合突起４２が凹部３の嵌合孔３２から引き抜かれ、蓋体４は凹部３から容易に取り外し可能となる。
【００３８】
図７に示す状態から蓋体４の表面の下側（−Ｚ側）が押圧されると、図８に示すように、蓋体４は凹部３の支持部３３に対して摺動リブ４３を摺動させながら回転する。したがって、蓋体４は、摺動リブ４３の円弧で規定される円の中心となる位置Ｐ１を回転中心として回転する。この回転中心となる位置Ｐ１は、蓋体４の表面に近い摺動リブ４３の内部に設定される。その結果、本実施形態の保護構造では、蓋体４の表面の回転半径が小さくなり、回転において蓋体４が移動する範囲を小さくすることができる。
【００３９】
＜４．比較例＞
図９から図１２は、比較例となる保護構造を示す図である。図９に示すように、この比較例の蓋体４０においては、凹部３に対して摺動する摺動リブ４３は採用されておらず、凹部３０に対して摺動しない突起である支点リブ４５が採用されている。また、図１０に示すように、この比較例の凹部３０においては、その底面３９に支持部３３は設けられていない。
【００４０】
図１１及び図１２は、図７と同一位置に相当する位置における比較例の保護構造の断面図である。図１１は、蓋体４０が凹部３０に嵌められた状態を示し、図１２は、蓋体４０が凹部３０に対して回転した状態を示している。
【００４１】
図１１に示すように、蓋体４０が凹部３０に嵌められた状態では、蓋体４０の支点リブ４５は凹部３０の底面３９に対して接触している。この状態から蓋体４０の表面の下側（−Ｚ側）が押圧されると、図１２に示すように、蓋体４０は、摺動すること無く、支点リブ４５を支点として凹部３０の底面３９に対して回転する。すなわち、蓋体４０は、凹部３０の底面３９に支点リブ４５が接触する位置Ｐ２を回転中心として回転する。
【００４２】
この比較例の蓋体４０の回転中心となる位置Ｐ２は、上記実施の形態の蓋体４の回転中心となる位置Ｐ１と比較して、蓋体の表面からの距離が大きい。すなわち、比較例の蓋体４０の表面と位置Ｐ２との距離Ｌ２（図１１参照。）は、上記実施の形態の蓋体４の表面と位置Ｐ１との距離Ｌ１（図７参照。）と比較して非常に大きくなっている。このため、比較例の保護構造では、蓋体４０の表面の回転半径が大きく、回転において蓋体４０が移動する範囲が大きくなる。したがって、例えば、図１２に示すように、蓋体４０が回転すると、蓋体４０の表面の下端部４９が、矢印ＡＲ２のように移動し、凹部３０の側壁に対して接触する可能性がある。このような接触を避けるためには、蓋体４０と凹部３０の側壁との間隔を大きくする必要がある。
【００４３】
この比較例に対し、上記実施の形態の保護構造では、蓋体４が凹部３の支持部３３に対して摺動リブ４３を摺動させながら回転するため、蓋体４の表面からの距離が比較的小さい位置Ｐ１を回転中心として回転することができる。このため、蓋体４の表面の回転半径を小さくでき、回転において蓋体４が移動する範囲が小さくできる。したがって、例えば、図８に示すように、蓋体４の下端部４８は、矢印ＡＲ１のように移動し、凹部３の側壁との接触を避けることができる。すなわち、上記実施の形態の保護構造では、蓋体４と凹部３の側壁との間隔を小さくしても、蓋体４と凹部３との接触を回避できる。
【００４４】
＜５．変形例＞
以上、本発明の実施の形態について説明してきたが、この発明は上記実施の形態に限定されるものではなく様々な変形が可能である。以下では、このような変形例について説明する。上記実施の形態及び以下で説明する形態を含む全ての形態は、適宜に組み合わせ可能である。
【００４５】
上記実施の形態では、差込口は、メモリカードを差し込むためのカードスロット３１であるとして説明したが、ＵＳＢケーブルなどのケーブルを差し込むための端子など、他の種類の差込口であってもよい。
【００４６】
また、上記実施の形態では、摺動リブ４３は蓋体４の上下方向（Ｚ軸方向）の中央付近に設けられると説明したが、摺動リブ４３は蓋体４の上下方向（Ｚ軸方向）の任意の位置に設けてよい。摺動リブ４３の位置を変更することで、蓋体４の回転中心の位置を変更することができ、その結果、回転において蓋体４が移動する範囲を変えることができる。このため、凹部のデザイン等に合うように摺動リブ４３の位置を最適化することが望ましい。また、回転のためにユーザが押圧する蓋体４の部分も、摺動リブ４３の位置に合わせて変更することが望ましい。
【００４７】
また、上記実施の形態では、保護構造が採用される電子装置の一例として車載装置について説明したが、家庭、店舗、オフィス、工場などで使用される電子装置や、携帯電話等の可搬性の電子装置などで同様の保護構造が採用されてもよい。
【符号の説明】
【００４８】
３    凹部
４    蓋体
３１    カードスロット
３２    嵌合孔
３３    支持部
３９    底面
４２    嵌合突起
４３    摺動リブ
【図１】
0006338963.tif 000002
【図２】
0006338963.tif 000003
【図３】
0006338963.tif 000004
【図４】
0006338963.tif 000005
【図５】
0006338963.tif 000006
【図６】
0006338963.tif 000007
【図７】
0006338963.tif 000008
【図８】
0006338963.tif 000009
【図９】
0006338963.tif 000010
【図１０】
0006338963.tif 000011
【図１１】
0006338963.tif 000012
【図１２】
0006338963.tif 000013